(57)【要約】  【課題】  ディスプレイを移動するときに形成される隙間から内容物が丸見えになるのを防ぐことができ、また、その隙間から異物が入り込むのを防ぐことができるディスプレイ装置を提供する。  【解決手段】  ディスプレイ装置１は、不使用位置と使用位置との間で移動可能なディスプレイ３と、クローズ位置とオープン位置との間で移動可能なフラップ１０と、ディスプレイ３が移動するときに形成される隙間を塞ぐ蛇腹式のカバー１６を備えている。この場合、ディスプレイ３が移動するときに形成される隙間の大きさは、ディスプレイ３が移動するのに応じて変化するが、蛇腹式のカバー１６の大きさは、この隙間の大きさの変化に応じて可変である。【選択図】  図１
2012113213.tif 000002
【特許請求の範囲】
【請求項１】
ディスプレイ収納部に収納された不使用位置と、前記ディスプレイ収納部の開口部から外出した使用位置との間で移動可能であるディスプレイと、
前記ディスプレイ収納部の開口部に設けられ、前記ディスプレイが不使用位置のときに前記開口部を覆うクローズ位置と、前記ディスプレイが使用位置のときに前記開口部を露出させるオープン位置との間で移動可能であるフラップと、
前記ディスプレイ収納部の開口部の近傍において前記フラップより内側に設けられ、前記ディスプレイが不使用位置から使用位置に移動するとき、または、前記ディスプレイが使用位置から不使用位置に移動するときに、前記ディスプレイ収納部の開口部と前記ディスプレイとの間に形成される隙間を少なくとも部分的に塞ぐカバーと、
を備え、
前記ディスプレイ収納部の開口部と前記ディスプレイとの間に形成される隙間の大きさは、前記ディスプレイが移動するのに応じて変化し、前記カバーの大きさは、前記隙間の大きさの変化に応じて可変であることを特徴とするディスプレイ装置。
【請求項２】
前記ディスプレイを不使用位置と使用位置との間で移動させるディスプレイ駆動部を備え、
前記カバーの一方の端部は、押し付け部材により前記ディスプレイに対して押し付けられており、前記カバーの他方の端部は、前記ディスプレイ収納部の内部に固定されており、
前記ディスプレイ駆動部により前記ディスプレイが移動するのに応じて、前記ディスプレイに対して押し付けられている前記カバーの一方の端部と、前記ディスプレイ収納部の内部に固定されている前記カバーの他方の端部との間の距離が変化して、前記カバーの大きさが変化することを特徴とする請求項１に記載のディスプレイ装置。
【請求項３】
前記ディスプレイ駆動部は、前記ディスプレイを不使用位置と使用位置との間で移動させるときに、前記ディスプレイを出入方向にスライド移動させながらチルト方向に回動させることを特徴とする請求項２に記載のディスプレイ装置。
【請求項４】
前記フラップをクローズ位置とオープン位置との間で移動させるフラップ駆動部を備え、
前記フラップ駆動部は、前記フラップをクローズ位置からオープン位置に移動させた後に、前記オープン位置から前記クローズ位置に向けて戻された位置であって前記フラップと前記ディスプレイとの間の隙間が小さいカバー位置に、前記フラップを移動させることを特徴とする請求項１ないし請求項３のいずれかに記載のディスプレイ装置。
【請求項５】
前記カバーは、蛇腹式カバー、スライド式カバー、または、ロール式カバーであることを特徴とする請求項１ないし請求項４のいずれかに記載のディスプレイ装置。
【発明の詳細な説明】
【技術分野】
【０００１】
本発明は、車載用の可動ディスプレイ等として用いられるディスプレイ装置に関するものである。
【背景技術】
【０００２】
従来、車載用ディスプレイ装置として、ディスプレイが可動式のものが提案されている（例えば、特許文献１参照）。可動式のディスプレイ装置は、使用時にディスプレイがダッシュボードから突出した状態となり、不使用時にディスプレイがダッシュボードに収納された状態（蓋体で覆われた状態）となる。
【先行技術文献】
【特許文献】
【０００３】
【特許文献１】特開平８−９２９１号公報（７頁、図１）
【発明の概要】
【発明が解決しようとする課題】
【０００４】
ところで、従来の可動式のディスプレイ装置には、種々のタイプが存在し、その中には、ディスプレイを不使用状態から使用状態にするときに、蓋体を開いてから、ディスプレイをダッシュボードから突出させるタイプのものがある。そして、そのようなタイプのディスプレイ装置では、ディスプレイを使用状態から不使用状態にするときにも、蓋体が開いた状態でディスプレイをダッシュボードに収納してから、蓋体を閉じる動作を行うことになる。したがって、ディスプレイを不使用状態から使用状態にするときにも、ディスプレイを使用状態から不使用状態にするときにも、蓋体が開いた状態が存在することになる。
【０００５】
そのため、従来のディスプレイ装置では、蓋体が開いた隙間から内容物が丸見えになり、見栄えが良くないという問題があった。また、ダッシュボードには硬貨やカードなどが置かれることがあるが、それらの異物（硬貨やカードなど）が蓋体が開いた隙間から内部に入り込んでしまうという問題もあった。
【０００６】
本発明は、上記従来の問題を解決するためになされたもので、ディスプレイを移動するときに形成される隙間から内容物が丸見えになるのを防ぎ、見栄えを改善することができ、また、その隙間から異物が入り込むのを防ぐことのできるディスプレイ装置を提供することを目的とする。
【課題を解決するための手段】
【０００７】
本発明のディスプレイ装置は、ディスプレイ収納部に収納された不使用位置と、前記ディスプレイ収納部の開口部から外出した使用位置との間で移動可能であるディスプレイと、前記ディスプレイ収納部の開口部に設けられ、前記ディスプレイが不使用位置のときに前記開口部を覆うクローズ位置と、前記ディスプレイが使用位置のときに前記開口部を露出させるオープン位置との間で移動可能であるフラップと、前記ディスプレイ収納部の開口部の近傍において前記フラップより内側に設けられ、前記ディスプレイが不使用位置から使用位置に移動するとき、または、前記ディスプレイが使用位置から不使用位置に移動するときに、前記ディスプレイ収納部の開口部と前記ディスプレイとの間に形成される隙間を少なくとも部分的に塞ぐカバーと、を備え、前記ディスプレイ収納部の開口部と前記ディスプレイとの間に形成される隙間の大きさは、前記ディスプレイが移動するのに応じて変化し、前記カバーの大きさは、前記隙間の大きさの変化に応じて可変である構成を有している。
【０００８】
この構成により、ディスプレイが不使用位置から使用位置に移動するとき、または、ディスプレイが使用位置から不使用位置に移動するときに、ディスプレイ収納部の開口部とディスプレイとの間に形成される隙間が、カバーによって塞がれる。したがって、その隙間から、ディスプレイ収納部の内容物が丸見えになるのを防ぐことができ、見栄えが良くなる。また、その隙間から、異物（例えば硬貨やカードなど）がディスプレイ収納部に入り込むのを防ぐことができる。
【０００９】
また、本発明のディスプレイ装置は、前記ディスプレイを不使用位置と使用位置との間で移動させるディスプレイ駆動部を備え、前記カバーの一方の端部は、押し付け部材により前記ディスプレイに対して押し付けられており、前記カバーの他方の端部は、前記ディスプレイ収納部の内部に固定されており、前記ディスプレイ駆動部により前記ディスプレイが移動するのに応じて、前記ディスプレイに対して押し付けられている前記カバーの一方の端部と、前記ディスプレイ収納部の内部に固定されている前記カバーの他方の端部との間の距離が変化して、前記カバーの大きさが変化する構成を有している。
【００１０】
この構成により、ディスプレイ駆動部によるディスプレイの移動に連動させて、カバーの大きさを変化させることができる。したがって、カバーの大きさを変化させるために、別途、駆動部を設ける必要がなくなる。
【００１１】
また、本発明のディスプレイ装置では、前記ディスプレイ駆動部は、前記ディスプレイを不使用位置と使用位置との間で移動させるときに、前記ディスプレイを出入方向にスライド移動させながらチルト方向に回動させる構成を有している。
【００１２】
この構成により、ディスプレイをスライド移動させながら回動させるので、ディスプレイのスライド移動と回動を別々に行う場合に比べて、ディスプレイを不使用位置と使用位置との間で移動させるときに要する時間（所要時間）を短縮することができる。
【００１３】
また、本発明のディスプレイ装置は、前記フラップをクローズ位置とオープン位置との間で移動させるフラップ駆動部を備え、前記フラップ駆動部は、前記フラップをクローズ位置からオープン位置に移動させた後に、前記オープン位置から前記クローズ位置に向けて戻された位置であって前記フラップと前記ディスプレイとの間の隙間が小さいカバー位置に、前記フラップを移動させる構成を有している。
【００１４】
この構成により、ディスプレイが使用位置のときにフラップがカバー位置に移動され、フラップとディスプレイとの間の隙間が小さくなる。したがって、その隙間から異物（例えば硬貨やカードなど）がディスプレイ収納部に入り込むのを防ぐことができる。
【００１５】
また、本発明のディスプレイ装置では、前記カバーは、蛇腹式カバー、スライド式カバー、または、ロール式カバーである構成を有している。
【００１６】
この構成により、比較的シンプルな構成で、カバーの大きさを可変にすることができる。
【発明の効果】
【００１７】
本発明は、ディスプレイを移動するときに形成される隙間から内容物が丸見えになるのを防ぎ、見栄えを改善することができ、また、その隙間から異物が入り込むのを防ぐことができるという効果を有するディスプレイ装置を提供することができるものである。
【図面の簡単な説明】
【００１８】
【図１】本発明の実施の形態におけるディスプレイ装置の外観を示す斜視図
【図２】本発明の実施の形態におけるディスプレイユニットの構成の説明図  （ａ）ディスプレイユニットの平面図  （ｂ）ディスプレイユニットの側面図
【図３】本発明の実施の形態におけるディスプレイユニットの動作の説明図
【図４】本発明の実施の形態におけるフラップユニットの斜視図
【図５】本発明の実施の形態におけるフラップユニットの動作の説明図  （ａ）フラップが閉じた状態（クローズ位置の状態）の側面図  （ｂ）フラップが開いた状態（オープン位置の状態）の側面図
【図６】本発明の実施の形態におけるカバー（蛇腹式カバー）の構成を示す分解斜視図
【図７】本発明の実施の形態におけるカバー（蛇腹式カバー）の構成の説明図
【図８】本発明の実施の形態におけるディスプレイのオープン動作の流れを説明する図
【図９】本発明の実施の形態におけるディスプレイのクローズ動作の流れを説明する図
【図１０】本発明の実施の形態におけるディスプレイと蛇腹式カバーの動作遷移（ディスプレイ：収納状態、フラップ：クローズ状態）の説明図
【図１１】本発明の実施の形態におけるディスプレイと蛇腹式カバーの動作遷移（ディスプレイ：収納状態、フラップ：５１ｍｍスライド状態）の説明図
【図１２】本発明の実施の形態におけるディスプレイと蛇腹式カバーの動作遷移（ディスプレイ：５０ｍｍスライド状態、フラップ：５１ｍｍスライド状態）の説明図
【図１３】本発明の実施の形態におけるディスプレイと蛇腹式カバーの動作遷移（ディスプレイ：８５ｍｍスライド状態、フラップ：７０ｍｍスライド状態）の説明図
【図１４】本発明の実施の形態におけるディスプレイと蛇腹式カバーの動作遷移（ディスプレイ：移動完了状態、フラップ：５１ｍｍスライド状態）の説明図
【図１５】他の実施の形態におけるカバーの構成の説明図  （ａ）スライド式カバーの一例を示す図  （ｂ）ロール式カバーの一例を示す図
【発明を実施するための形態】
【００１９】
以下、本発明の実施の形態のディスプレイ装置について、図面を用いて説明する。本実施の形態では、完全収納型の車載用可動式ディスプレイ等に用いられるディスプレイ装置の場合を例示する。
【００２０】
本発明の実施の形態のディスプレイ装置の構成を、図面を参照して説明する。ここでは、まず、ディスプレイ装置の全体の構成を説明する。図１は、本実施の形態のディスプレイ装置の外観を示す斜視図である。図１に示すように、本実施の形態のディスプレイ装置１は、車両のダッシュボード２に備えられる車載用のディスプレイ装置１である。また、このディスプレイ装置１は、ディスプレイ３が可動式のものであり、使用時には、ディスプレイ３がダッシュボード２の外部に突出した状態となり、不使用時には、ディスプレイ３がダッシュボード２の内部に収納された状態となる（図１０〜図１４参照）。
【００２１】
次に、ディスプレイ装置１の各部の構成を説明する。ディスプレイ装置１は、ディスプレイ３を使用位置と不使用位置との間で移動させるためのユニット（ディスプレイユニット４）を備えている。図２には、ディスプレイユニット４の一例が示されている。図２（ａ）は、ディスプレイユニット４の平面図であり、図２（ｂ）は、ディスプレイユニット４の側面図である。また、図３は、ディスプレイユニット４の動作（ディスプレイ３の使用位置と不使用位置との間での移動）の説明図である。
【００２２】
図２に示すように、ディスプレイユニット４は、ディスプレイ３が取り付けられる可動ベース５と、可動ベース５の両側に取り付けられる一対のレール６を備えている。ディスプレイ３は、可動ベース５にチルト方向に回動可能に取り付けられており、可動ベース５には、ティスプレイをチルト方向に回動させるためのチルトモータ７が備えられている。また、可動ベース５は、レール６に沿った方向（出入方向）にスライド可能であり、可動ベース５には、可動ベース５を出入方向にスライド移動させるためのスライドモータ８が備えられている。
【００２３】
上述のように、ディスプレイ３は、不使用位置（不使用時の位置）と使用位置（使用時の位置）との間で移動する（図１０〜図１４参照）。ディスプレイ３が不使用位置のときには、ディスプレイ３は、ダッシュボード２の内部の空間に完全に収納された状態になる（図１０参照）。このダッシュボード２の内部の空間は、シャーシ９によって形成されてもよい（図４参照）。その場合、シャーシ９は、ディスプレイ３を収納する機能を備えており、ディスプレイ収納部と呼ぶこともできる。そして、ディスプレイ３が使用位置のときには、ディスプレイ３がシャーシ９（ディスプレイ収納部）の開口部から外出した状態になる（図３参照）。このとき、ディスプレイ３は、ダッシュボード２の開口部から外出した状態にもなっている。したがって、ダッシュボード２の開口部を、ディスプレイ収納部の開口部と呼ぶこともできる。
【００２４】
この場合、図３に示すように、ディスプレイ３が不使用位置と使用位置との間で移動するときに、出入方向にスライド移動しながらチルト方向に回動する。このようなディスプレイ３の移動は、チルトモータ７とスライドモータ８の制御により実現されている。このディスプレイユニット４のチルトモータ７とスライドモータ８は、本発明のディスプレイ駆動部に相当する。
【００２５】
シャーシ９の開口部には、開閉可能なフラップ１０が設けられている。そして、ディスプレイ装置１は、フラップ１０をクローズ位置（閉位置）とオープン位置（開位置）との間で移動させるためのユニット（フラップユニット１１）を備えている。図４と図５には、フラップユニット１１の一例が示されている。図４は、フラップユニット１１の斜視図であり、図５は、フラップユニット１１の動作の説明図である。図５（ａ）は、フラップ１０が閉じた状態（クローズ位置の状態）の側面図であり、図５（ｂ）は、フラップ１０が開いた状態（オープン位置の状態）の側面図である。
【００２６】
図４に示すように、フラップユニット１１は、シャーシ９の上面に取り付けられている。そして、フラップユニット１１は、フラップ１０が取り付けられる可動ベース１２と、可動ベース１２の両側に取り付けられる一対のレール１３を備えている。可動ベース１２には、可動ベース１２をレール１３に沿った方向にスライド移動させるスライドモータ１４が備えられている。フラップ１０は、可動ベース１２に回動可能に取り付けられており、シャーシ９の開口部には、フラップ１０をガイドする一対のガイド部１５が設けられている。
【００２７】
そして、図５に示すように、可動ベース１２が、レール１３に沿った方向にスライドすると、フラップ１０は、このガイド部１５にガイドされて、クローズ位置とオープン位置との間で移動可能である。図５（ａ）に示すように、フラップ１０がクローズ位置のときには、シャーシ９の開口部がフラップ１０で覆われた状態になる。図５（ｂ）に示すように、フラップ１０がオープン位置のときには、フラップ１０がシャーシ９の開口部の前から退避して、シャーシ９の開口部が露出した状態になる。
【００２８】
この場合、フラップ１０のクローズ位置とオープン位置との間での移動は、スライドモータ１４の制御によって実現されている。このフラップユニット１１のスライドモータ１４は、本発明のフラップ駆動部に相当する。
【００２９】
さらに、シャーシ９の開口部には、蛇腹式のカバー１６が備えられている。このカバー１６は、シャーシ９の開口部の近傍に設けられており、フラップ１０よりも内側（図４における右上側、図５における左側）に設けられている。
【００３０】
図６および図７には、蛇腹式のカバー１６の一例が示されている。図６および図７に示すように、シャーシ９の開口部の下面には、ベース部材１７が設けられている。ベース部材１７は、下板１８と左右の側板１９とから構成されており、正面視で略コの字状をしている。ベース部材１７の一方の側板１９には、シャフト２０が挿通されるシャフト挿通孔２１が設けられ、他方の側板１９にはシャフト２０を軸受けするシャフト受け凹部２２が設けられている。シャフト挿通孔２１の外側からは、シャフト固定部材２３が取り付けられ、シャフト２０が抜けないようにされている。シャフト固定部材２３は、ねじ２４でベース部材１７の下板１８に固定される。なお、シャフト固定部材２３は、シャフト固定時のガタを吸収できるように、弾性（バネ性）のある材料で作られていることが望ましい。
【００３１】
このシャフト２０には、インナーフラップ２５が取り付けられている。インナーフラップ２５には、蛇腹式のカバー１６の一方の端部（上辺）が固定されている。蛇腹式のカバー１６の他方の端部（下辺）は、ベース部材１７の下板１８に固定されている。また、シャフト２０には、インナーフラップ２５を内側（図６における右上側、図７における左側）に向けて押し付けるコイルバネ２６が取り付けられている。したがって、蛇腹式のカバー１６の一方の端部は、コイルバネ２６の付勢力によって内側（すなわち、ディスプレイ側）に押し付けられている。このコイルバネ２６が、本発明の押し付け部材に相当する。なお、インナーフラップ２５の内側（ディスプレイ側）には、ディスプレイ３の傷つきを防ぐために、柔らかい材料（フェルト布など）で作られた保護部材２７が設けられていることが望ましい。
【００３２】
この蛇腹式のカバー１６は、ディスプレイ３が移動するときにシャーシ９の開口部とディスプレイ３との間に形成される隙間を塞ぐように構成されている（図１０〜図１４参照）。シャーシ９の開口部とディスプレイ３との間に形成される隙間の大きさは、ディスプレイ３がスライド移動しながらチルト方向に回動するため、ディスプレイ３が移動するのに応じて変化する。ところが、この場合、蛇腹式のカバー１６の一方の端部（上辺）がディスプレイ３に押し付けられており、他方の端部（下辺）がベース部材１７の下板１８に固定されているので、ディスプレイ３が移動するのに応じて、蛇腹式のカバー１６の一方の端部と他方の端部との間の距離が変化して、カバー１６の大きさ（カバー１６によって塞ぐことのできる有効面積）が変化する。したがって、この蛇腹式のカバー１６は、シャーシ９の開口部とディスプレイ３との間に形成される隙間の大きさがディスプレイ３の移動に応じて変化しても、それに追従してカバー１６の大きさが可変であるように構成されているともいえる。
【００３３】
以上のように構成されたディスプレイ装置１について、図面を参照してその動作を説明する。
【００３４】
図８は、ディスプレイ３を不使用状態から使用状態にする動作（オープン動作）の流れを説明する図である。このオープン動作は、ディスプレイ３が完全に収納された状態で行われる（図１０参照）。ディスプレイ３を使用状態にするときには、まず、ディスプレイ装置１のボタン２８でオープン操作を行う。そうすると、図８に示すように、フラップ１０を開くスライド動作が開始される（Ｓ１）。その後、フラップ１０が所定のスライド量（例えば、５１ｍｍ）だけスライドした状態になったら（図１１参照）、フラップ１０のスライド動作を停止して（Ｓ２）、ディスプレイ３を開くスライド動作を開始する（Ｓ３）。このとき、ディスプレイ３のスライド動作が開始するのに連動して、カバー１６を閉じる動作が開始される（Ｓ４）。
【００３５】
その後、ディスプレイ３を所定のスライド量（例えば、５０ｍｍ）だけスライドさせる（Ｓ５）。そして、ディスプレイ３が所定のスライド量（例えば、５０ｍｍ）だけスライドした状態になったら（図１２参照）、フラップ１０を開くスライド動作を再開するとともに（Ｓ６）、ディスプレイ３を開くチルト動作を開始する（Ｓ７）。
【００３６】
そして、フラップ１０がオープン位置（例えば、スライド量が７０ｍｍ）に達したら（図１３参照）、フラップ１０を開くスライド動作を停止する（Ｓ８）。また、ディスプレイ３がフルスライド位置（例えば、スライド量が８５ｍｍ）に達したら、ディスプレイ３を開くスライド動作を停止する（Ｓ９）。その後、ディスプレイ３がフルチルト位置（例えば、９０度）まで回動したら、ディスプレイ３のチルト動作を停止する（Ｓ１０）。このとき、ディスプレイ３のチルト動作が停止するのに連動して、カバー１６を閉じる動作が停止される（Ｓ１１）。
【００３７】
この場合、ディスプレイ３のチルト動作が停止した後、フラップ１０を閉じるスライド動作が開始される（Ｓ１２）。そして、フラップ１０が所定のスライド量（例えば、５１ｍｍ）の位置まで戻された位置（カバー位置）になったら（図１４参照）、フラップ１０のスライド動作を停止する（Ｓ１３）。このように、フラップ１０をカバー位置まで戻すことにより、フラップ１０とディスプレイ３との間の隙間が塞がれる。
【００３８】
図９は、ディスプレイ３を使用状態から不使用状態にする動作（クローズ動作）の流れを説明する図である。ディスプレイ３を不使用状態にするときには、まず、ディスプレイ装置１のボタン２８でクローズ操作を行う。そうすると、図９に示すように、ディスプレイ３を閉じるチルト動作が開始される（Ｓ２０）。このとき、ディスプレイ３のチルト動作が開始するのに連動して、カバー１６を開く動作が開始される（Ｓ２１）。
【００３９】
続いて、フラップ１０を開くスライド動作が開始されるとともに（Ｓ２２）、ディスプレイ３を閉じるスライド動作が開始される（Ｓ２３）。その後、フラップ１０がオープン位置に達したら（図１３参照）、フラップ１０を開くスライド動作を停止する（Ｓ２４）。そして、ディスプレイ３を所定のスライド量だけスライドさせる（Ｓ２５）。ディスプレイ３が所定のスライド量だけスライドした状態になったら（図１２参照）、ディスプレイ３を閉じるチルト動作を停止する（Ｓ２６）。そして、ディスプレイ３がフルクローズ位置（例えば、スライド量が０ｍｍ）までスライドした状態になったら（図１１参照）、ディスプレイ３を閉じるスライド動作を停止する（Ｓ２７）。このとき、ディスプレイ３のスライド動作が停止するのに連動して、カバー１６を開く動作が停止される（Ｓ２８）。
【００４０】
最後に、フラップ１０を閉じるスライド動作を開始し（Ｓ２９）、フラップ１０がフルクローズ位置までスライドした状態になったら、フラップ１０のスライド動作を停止する（Ｓ３０）。
【００４１】
このような本発明の実施の形態のディスプレイ装置１によれば、図１０〜図１４に示すように、ディスプレイ３が不使用位置から使用位置に移動するとき、または、ディスプレイ３が使用位置から不使用位置に移動するときに、シャーシ９の開口部とディスプレイ３との間に形成される隙間が、カバー１６によって塞がれる。したがって、その隙間から、内容物が丸見えになるのを防ぐことができ、見栄えが良くなる。また、その隙間から、異物（例えば硬貨やカードなど）が内部に入り込むのを防ぐことができる。
【００４２】
また、本実施の形態では、カバー１６の一方の端部をバネによりディスプレイ３に対して押し付け、ディスプレイユニット４のモータ（チルトモータ７やスライドモータ８）によるディスプレイ３の移動に連動させて、カバー１６の大きさを変化させている。したがって、カバー１６の大きさを変化させるために、別途、モータなどの駆動部を設ける必要がなくなる。
【００４３】
また、本実施の形態では、ディスプレイ３をスライド移動させながら回動させるので、ディスプレイ３のスライド移動と回動を別々に行う場合に比べて、ディスプレイ３を不使用位置と使用位置との間で移動させるときに要する時間（所要時間）を短縮することができる。
【００４４】
なお、このようにディスプレイ３をスライド移動させながら回動させる場合には、ディスプレイ３のスライド移動と回動を別々に行う場合に比べて、シャーシ９の開口部を大きくする必要があるが、本実施の形態では、シャーシ９の開口部を大きくなったとしても、（その結果、シャーシ９の開口部とディスプレイ３との間に形成される隙間が大きくなったとしても、）その隙間が、カバー１６によって塞がれる。したがって、その隙間から、内部の内容物が丸見えになる（見栄えが悪くなる）のを防ぐことができ、また、その隙間から、異物（例えば硬貨やカードなど）が内部に入り込むのを防ぐことができる。
【００４５】
また、本実施の形態では、図１４に示すように、ディスプレイ３が使用位置のときにフラップ１０をカバー位置に移動させて、フラップ１０とディスプレイ３との間の隙間を小さくしている。したがって、その隙間から異物（例えば硬貨やカードなど）が内部に入り込むのを防ぐことができる。
【００４６】
また、本実施の形態では、蛇腹式のカバー１６を採用している。従って、比較的シンプルな構成で、カバー１６の大きさを可変にすることができる。
【００４７】
以上、本発明の実施の形態を例示により説明したが、本発明の範囲はこれらに限定されるものではなく、請求項に記載された範囲内において目的に応じて変更・変形することが可能である。
【００４８】
例えば、以上の説明では、蛇腹式のカバー１６を採用した例について説明したが、本発明の範囲はこれに限定されるものではない。例えば、図１５（ａ）に示すように、スライド式のカバー３０を採用してもよく、図１５（ｂ）に示すように、ロール式のカバー４０を採用してもよい。
【産業上の利用可能性】
【００４９】
以上のように、本発明にかかるディスプレイ装置は、ディスプレイを移動するときに形成される隙間から内容物が丸見えになるのを防いで、見栄えを改善することができ、また、その隙間から異物が入り込むのを防ぐことができるという効果を有し、完全収納型の車載用可動式ディスプレイ等として用いられ、有用である。
【符号の説明】
【００５０】
１  ディスプレイ装置
２  ダッシュボード
３  ディスプレイ
４  ディスプレイユニット
５  可動ベース
６  レール
７  チルトモータ
８  スライドモータ
９  シャーシ
１０  フラップ
１１  フラップユニット
１２  可動ベース
１３  レール
１４  スライドモータ
１５  ガイド部
１６  蛇腹式のカバー
１７  ベース部材
１８  下板
１９  側板
２０  シャフト
２１  シャフト挿通孔
２２  シャフト受け凹部
２３  シャフト固定部材
２４  ねじ
２５  インナーフラップ
２６  コイルバネ
２７  保護部材
２８  ボタン
３０  スライド式のカバー
４０  ロール式のカバー
【図１】
2012113213.tif 000003
【図２】
2012113213.tif 000004
【図３】
2012113213.tif 000005
【図４】
2012113213.tif 000006
【図５】
2012113213.tif 000007
【図６】
2012113213.tif 000008
【図７】
2012113213.tif 000009
【図８】
2012113213.tif 000010
【図９】
2012113213.tif 000011
【図１０】
2012113213.tif 000012
【図１１】
2012113213.tif 000013
【図１２】
2012113213.tif 000014
【図１３】
2012113213.tif 000015
【図１４】
2012113213.tif 000016
【図１５】
2012113213.tif 000017